(57)【要約】【課題】コンピューターを使わずに他のフラッシュメモリー駆動装置にデータを伝送できることができるフラッシュメモリー駆動装置を提供する。【解決手段】プリント回路盤と、プリント回路盤に搭載された雄型コネクターと、プリント回路盤に搭載されてかつ雄型コネクターと会合する形状の雌型コネクターと、プリント回路盤に搭載されて雄型、雄型・雌型コネクターに電気接続されたフラッシュメモリーチップとフラッシュメモリーチップに対してデータを出入り伝送させる可能化手段とを有してなり、フラッシュメモリーチップに対してデータを出入り伝送させる他の雄型コネクターと会合する形状を雌型コネクターが有している。【選択図】図１
2006048682.tif 000002
【特許請求の範囲】
【請求項１】
プリント回路盤と、プリント回路盤に搭載された雄型コネクターと、プリント回路盤に搭載されてかつ雄型コネクターと会合する形状の雌型コネクターと、プリント回路盤に搭載されて雄型・雌型コネクターに電気接続されたフラッシュメモリーチップと、フラッシュメモリーチップに対してデータを出入り伝送させる可能化手段とを有してなり、フラッシュメモリーチップに対してデータを出入り伝送させる他の雄型コネクターと会合する形状を雌型コネクターが有していることを特徴とするフラッシュメモリー駆動装置。
【請求項２】
電力を供給すべくフラッシュメモリーチップに接続されたバッテリー、および／または少なくとも一方の雌型コネクターと雄型コネクターの少なくとも一方のケーブルおよび他の駆動装置および周辺機器への電気接続を促進する促進手段、および／またはデータをフラッシュメモリーチップに対して出入り伝送するためのスイッチ、および／または駆動装置をセットしてセットの関数としてデータをフラッシュメモリーチップに対して出入り伝送させる親・子スイッチ、および／またはデータの伝送が進行中であることを表示するＬＥＤ、および／またはプリント回路盤を囲繞する包絡体を有してなることを特徴とする請求項１に記載の駆動装置。
【請求項３】
さらにフラッシュメモリーチップからデジタル音響データを回収する回収手段と、回収されたデジタル音響データを復号する復号手段と、復号デジタル音響データをアナログ信号に変換する変換手段と、アナログ信号を出力する出力コネクターとを有していることを特徴とする請求項２に記載の駆動装置。
【請求項４】
さらにデジタル音響チップを制御すべく包絡体を介してアクセス可能な複数のボタン、および／またはデジタル音響データに関連する情報の可視表示を提供すべく包絡体を介して視認可能な表示スクリーンを有していることを特徴とする請求項３に記載の駆動装置。
【請求項５】
集積雄型コネクターを具えた第１のフラッシュメモリー駆動装置から集積雌型コネクターを具えた第２のフラッシュメモリー駆動装置にデータを伝送する方法であって、第１のフラッシュメモリー駆動装置の雄型コネクターを第２のフラッシュメモリー駆動装置の雌型コネクターに挿入し、第１のフラッシュメモリー駆動装置のフラッシュメモリーチップから第２のフラッシュメモリー駆動装置のフラッシュメモリーチップへ、またはその逆に、データを伝送することを特徴とするデータ伝送方法。
【請求項６】
第１のフラッシュメモリー駆動装置が親位置と子位置のひとつにセットされた親・子スイッチを有しており、第２のフラッシュメモリー駆動装置が他の親位置と子位置のひとつにセットされた親・子スイッチを有しており、親位置にある第１のフラッシュメモリー駆動装置の親・子スイッチが第１のフラッシュメモリー駆動装置をセットしてデータをそのフラッシュメモリーチップから第２のフラッシュメモリー駆動装置のフラッシュメモリーチップに伝送させ、子位置にある第２のフラッシュメモリー駆動装置の親・子スイッチが第２のフラッシュメモリー駆動装置をセットしてデータを第１のフラッシュメモリー駆動装置のフラッシュメモリーチップから受けさせることを特徴とする請求項５に記載の方法。
【請求項７】
少なくとも第１のフラッシュメモリー駆動装置が押下されたときにデータの第１のフラッシュメモリー駆動装置から第２のフラッシュメモリー駆動装置へ、またはその逆に、伝送を開始するスイッチを有しており、および／または第１のフラッシュメモリー駆動装置が集積雌型コネクターを有しており、第２のフラッシュメモリー駆動装置が集積雄型コネクターを有していることを特徴とする請求項５に記載の方法。
【請求項８】
包絡体と、少なくとも部分的に包絡体中に配置された雄型ＵＳＢコネクターと、少なくとも部分的に包絡体中に配置された雌型ＵＳＢコネクターと、包絡体中に配置されかつ雄型・雌型コネクターに電気的に接続されたフラッシュメモリーチップと、包絡体中に配置されてフラッシュメモリーチップに対してデータを出入り伝送させる可能化手段とを有してなり、雄型ＵＳＢコネクターが他の雌型ＵＳＢコネクターと会合してフラッシュメモリーチップに対してデータを出入り伝送させることを特徴とするフラッシュメモリー駆動装置。
【請求項９】
さらにフラッシュメモリーチップに電力を供給すべく接続されたバッテリー、および／またはフラッシュメモリーチップに対してのデータの出入り伝送を開始するスイッチ、および／またはスイッチのセットの関数としてフラッシュメモリーチップに対してデータを出入り伝送させる親・子スイッチとを有してなることを特徴とする請求項８に記載の駆動装置。
【請求項１０】
さらに少なくとも１個の雌型ＵＳＢコネクターと雄型ＵＳＢコネクターとの他の装置の他の雄型ＵＳＢコネクターと他の雌型ＵＳＢコネクターへの接続を促進する促進手段とを有してなることを特徴とする請求項８に記載の駆動装置。
【発明の詳細な説明】
【技術分野】
【０００１】
この発明はフラッシュメモリー駆動装置とデータ伝送方法とに関するものである。
【背景技術】
【０００２】
フラッシュメモリー駆動装置は一般に非機械的な装置であって、８メガバイト〜１ギガバイトのデータを現在保持できるものである。コンパクトフラッシュ（登録商標）駆動装置などのフラッシュメモリー駆動装置はユニバーサル・シリアル・バス（ＵＳＢ）コネクターを介してコンピューターに接続し毎秒１ＭＢを超える速度でデータを伝送する。
【０００３】
現在のフラッシュメモリー駆動装置は雄型コネクターを有しており、これがデスクトップコンピューター、ラップトップコンピューターまたはパーム装置上の雌型ＵＳＢポートに挿入される。フラッシュメモリー装置の有利な点は、小型で、携帯可能で、耐久性があり、大きな記憶容量にある。一般的なフラッシュメモリー駆動装置は使捨てライターまたはガムパック位の寸法と重量である。使用者の首に着用することもでき、キーチェーンに付けることもでき、ハンドバックに入れることもできる。
【発明の開示】
【発明が解決しようとする課題】
【０００４】
現在のフラッシュメモリー駆動装置はコンピューターまたはパーム装置の使用なしに２個のフラッシュメモリー駆動装置間で情報を伝送する手段を有していない。これがそのような装置のファイルシェアリング能力を制約している。さらにそのような装置を使用すると、プリンターやデジタルカメラやスキャナーなどに必要なコンピューター上の使用可能なＵＳＢポートの数を制約することになる。
【０００５】
従ってフラッシュメモリー駆動装置にはコンピューターを使わずに他のフラッシュメモリー駆動装置にデータを伝送できることが要求される。さらに雄型ＵＳＢコネクターを使ってフラッシュメモリー駆動装置に挿入できることも必要である。
【０００６】
かかる従来技術の現状に鑑みてこの発明の目的はコンピューターを使わずに他のフラッシュメモリー駆動装置にデータを伝送できることができるフラッシュメモリー駆動装置を提供することにある。
【課題を解決するための手段】
【０００７】
このためこの発明のフラッシュメモリー駆動装置はプリント回路盤と、プリント回路盤に搭載された雄型コネクターと、プリント回路盤に搭載されてかつ雄型コネクターと会合する形状の雌型コネクターと、プリント回路盤に搭載されて雄型・雌型コネクターに電気接続されたフラッシュメモリーチップとフラッシュメモリーチップに対してデータを出入り伝送させる可能化手段とを有してなり、フラッシュメモリーチップに対してデータを出入り伝送させる他の雄型コネクターと会合する形状を雌型コネクターが有していることを要旨とする。
【０００８】
またこの発明のデータ伝送方法は、集積雄型コネクターを具えた第１のフラッシュメモリー駆動装置から集積雌型コネクターを具えた第２のフラッシュメモリー駆動装置にデータを伝送するものであって、第１のフラッシュメモリー駆動装置の雄型コネクターを第２のフラッシュメモリー駆動装置の雌型コネクターに挿入し、第１のフラッシュメモリー駆動装置のフラッシュメモリーチップから第２のフラッシュメモリー駆動装置のフラッシュメモリーチップへまたはその逆にデータを伝送することを要旨とする。
【０００９】
この発明は集積雄型・雌型コネクターを有するフラッシュメモリー駆動装置に関するものであって、プリント回路盤、プリント回路盤に取り付けられた雄型コネクター、プリント回路盤に取り付けられれかつ雄型と会合すべく構成された雌型コネクター、プリント回路盤に取り付けられてかつ雄型・雌型コネクターに電気的に接続されたフラッシュメモリーチップおよびフラッシュメモリーチップに対してデータを出入り伝送させる可能化手段を有するものである。
【００１０】
雌型コネクターは他の雄型コネクターと会合すべく構成されて、フラッシュメモリーチップに対してデータを出入り伝送させるものである。
【００１１】
フラッシュメモリー駆動装置はフラッシュメモリーチップに接続されて電力を供給するバッテリー、フラッシュメモリーチップに対してデータを出入り伝送させる可能化手段および／または少なくとも１個の雄型・雌型コネクターの少なくとも１個のケーブル、他の駆動装置および周辺機器への電気的接続を促進する促進手段を有してもよい。
【００１２】
フラッシュメモリー駆動装置はフラッシュメモリーチップに対するデータの出入り伝送を行わせるスイッチ、駆動装置をセットして親・子スイッチのセットの関数としてフラッシュメモリーチップに対してデータを出入り伝送させる親・子スイッチ、および／またはデータの伝送が進行中であることを表示するＬＥＤを有してもよい。包絡体をプリント回路盤を囲繞して設けてそこに取り付けられてられた構成要素を保護するようにすることもできる。
【００１３】
またフラッシュメモリー駆動装置はデジタル音響チップを有して、フラッシュメモリーチップからデジタル音響データを回収し、デジタル音響データを復号し、復号音響データをアナログ音響信号に変換するようにすることもできる。
【００１４】
ヘッドホーンジャックなどの出力コネクターを設けて、ヘッドホーンまたはスピーカーにアナログ音響信号を出力するようにもでき、ボタンを設けてデジタル音響チップを制御するようにもできる。この明細書を通してボタンとスイッチとは交換可能であって、フラッシュメモリー駆動装置の機能を手動で励動する手段を示すのに用いられる。
【００１５】
フラッシュメモリー駆動装置は液晶ディスプレー（ＬＣＤ）またはプラズマスクリーンなどの表示スクリーンを有してもよく、歌の名称、歌の演奏時間、親や子などの装置の格、その他の有用な情報を使用者に提供する。
【００１６】
この発明はまた集積雄型コネクターを具えた第１のフラッシュメモリー駆動装置から集積雌型コネクターを具えた第２のフラッシュメモリー駆動装置へ情報を伝送する方法にも関するものである。
【００１７】
この方法においては、第１のフラッシュメモリー駆動装置の雄型コネクターを第２のフラッシュメモリー駆動装置の雌型コネクターに挿入し、第１のフラッシュメモリー駆動装置から第２のフラッシュメモリー駆動装置へ、またはその逆に、情報を伝送する。
【００１８】
以下添付の図面によりこの発明をさらに詳しく説明する。
【００１９】
図１、２においてフラッシュメモリー駆動装置１は上カバー３と下カバー５とプリント回路盤７とを有している。
【００２０】
上カバー３と下カバー５とはプリント回路盤７の周りに会合して保護容器を形成している。これらのカバーは種々の材料から形成されるが、プラスチックまたは金属から形成するのが望ましい。
【００２１】
フラッシュメモリー駆動装置１はさらに雄型ＵＳＢコネクター９と雌型ＵＳＢコネクター１１とを有している。両ＵＳＢコネクター９、１１は溶接、表面取付け技術、プレス取付けその他プリント回路盤上にある公知の取付け要素によりプリント回路盤７に取り付けられている。
【００２２】
雄型ＵＳＢコネクター９はデスクトップコンピューター、ラップトップコンピューター、パーム装置、インターフェイスケーブルなどのＵＳＢコネクターに会合すべく構成されている。雌型ＵＳＢコネクター１１は他のフラッシュメモリー駆動装置のＵＳＢコネクターに会合すべく構成されている。ここで他のフラッシュメモリー駆動装置とは従来技術のフラッシュメモリー駆動装置またはこの発明のフラッシュメモリー駆動装置である。
【００２３】
プリント回路盤７上には公知の方法でフラッシュメモリーチップ１３、ダウンロード／コピー論理チップ１５、ハブ論理チップ１７およびバッテリー１９が取り付けられている。爾後フラッシュメモリーチップ１３のみが存在するものと仮定するが、これに限定されるものではない。
【００２４】
フラッシュメモリーチップ１３は８メガバイト〜１ギガバイトのデータを記憶するように形成されている。フラッシュメモリーチップ１３に電気的に接続されたダウンロード／コピー論理チップ１５はその中のデータの他のフラッシュメモリー駆動装置のフラッシュメモリーチップへの、またはその逆の、伝送を促進する。
【００２５】
ハブ論理チップ１７は雄型・雌型ＵＳＢコネクター１０、１１の一方または両方の他のフラッシュメモリー装置（従来のフラッシュメモリー駆動装置、この発明の他のフラッシュメモリー駆動装置、デスクトップコンピューター、ラップトップコンピューター、パーム装置、プリンター、デジタルカメラ、スキャナーなど）に接続されたＵＳＢへの接続を促進する。
【００２６】
フラッシュメモリー駆動装置１が外部電力装置（コンピューターやパーム装置など）のＵＳＢポートに付属してないときには、バッテリー１９はフラッシュメモリーチップ１３、ダウンロード／コピー論理チップ１５、ハブ論理チップ１７に電力を供給する。
【００２７】
外部電力装置を使わずに、バッテリー１９はフラッシュメモリーチップ１３、ダウンロード／コピー論理チップ１５、ハブ論理チップ１７の組合せをしてフラッシュメモリーチップ１３から雄型ＵＳＢコネクター９または雌型ＵＳＢコネクター１１に付属する他のフラッシュメモリー駆動装置のフラッシュメモリーチップへの、またはその逆の、データの伝送させる。
【００２８】
論理チップ（図示せず）はバッテリー１９に電気的に接続されて、フラッシュメモリー駆動装置１の雄型ＵＳＢコネクター９または雌型ＵＳＢコネクター１１が外部電力装置に接続されているときには、バッテリー１９の充電を可能とする。
【００２９】
この実施例ではバッテリー１９が使用されているが、フラッシュメモリー駆動装置１はまたフラッシュメモリーチップ１３、ダウンロード／コピー論理チップ１５、ハブ論理チップ１７、および／またはバッテリー１９の電力供給に利用できる他の電力供給源（１個以上の太陽電池など）を有していてもよい。
【００３０】
ダウンロード／コピー論理チップ１５、ハブ論理チップ１７、バッテリーの充電を可能とする論理チップは別個のチップとして以上記載したが、これら各チップの機能は１または２個のチップに組み込むこともできる。したがって上記したチップの個数は限定的なものではない。
【００３１】
図１、２、３において、この発明の第１のフラッシュメモリー駆動装置１ａと第２のフラッシュメモリー駆動装置１ｂは、第２のフラッシュメモリー駆動装置１ｂの雌型ＵＳＢコネクター１１ｂにフラッシュメモリー駆動装置１ａの雄型ＵＳＢコネクター９ａを挿入することにより、一緒にすることができる。
【００３２】
これは第１のフラッシュメモリー駆動装置１ａのフラッシュメモリーチップから第２のフラッシュメモリー駆動装置１ｂのフラッシュメモリーチップへ、またはその逆に、データを伝送するためである。
【００３３】
各フラッシュメモリー駆動装置１はダウンロード／コピー論理チップ１５に接続されてフラッシュメモリー装置を親または子にセットする親・子スイッチ２１を有することができる。作用時には、両フラッシュメモリー駆動装置１ａ、１ｂが一緒にされて、親であるフラッシュメモリー駆動装置がそのフラッシュメモリーチップから子であるフラッシュメモリー駆動装置のフラッシュメモリーチップへとデータを伝送する。
【００３４】
例えば、フラッシュメモリー駆動装置の親・子スイッチ２１を用いて、第１のフラッシュメモリー駆動装置１ａは親に、第２のフラッシュメモリー駆動装置１ｂは子にセットすることができる。かくして、フラッシュメモリー駆動装置１ａ、１ｂが一緒にされた場合、データは第１のフラッシュメモリー駆動装置１ａのフラッシュメモリーチップから第２のフラッシュメモリー駆動装置１ｂのフラッシュメモリーチップへと伝送される。
【００３５】
この発明のフラッシュメモリー駆動装置１が雄型ＵＳＢコネクターのみを具えた従来技術のフラッシュメモリー駆動装置と一緒に用いられた場合、この発明のフラッシュメモリー駆動装置１の親・子スイッチ２１を親にセットしてデータをフラッシュメモリー駆動装置１のフラッシュメモリーチップから従来技術のフラッシュメモリー駆動装置のフラッシュメモリーチップに伝送する。
【００３６】
これに代えて、この発明のフラッシュメモリー駆動装置１の親・子スイッチ２１を子にセットしてデータを従来技術のフラッシュメモリー駆動装置のフラッシュメモリーチップからこの発明のフラッシュメモリー駆動装置１のフラッシュメモリーチップ１３に伝送することもできる。この発明のフラッシュメモリー駆動装置１はこの発明の他のフラッシュメモリー駆動装置または従来技術のフラッシュメモリー駆動装置と一緒に使用できる。
【００３７】
雄型ＵＳＢコネクター９がコンピューターやパーム装置などの雌型ＵＳＢコネクターに挿入されたとき、フラッシュメモリーチップ１３からのデータの伝送は公知の装置を介して制御できるのが望ましい。
【００３８】
フラッシュメモリー駆動装置１がそのフラッシュメモリーチップ１３からのデータ伝送を制御するように作用するのは、親・子スイッチ２１がフラッシュメモリー駆動装置１を親としてセットした場合のみであるのが望ましい。
【００３９】
これは、親・子スイッチ２１がフラッシュメモリー駆動装置１を子にセットしたときと対照的であり、そのときはフラッシュメモリー駆動装置１は、他のこの発明のフラッシュメモリー駆動装置やコンピューターやパーム装置などの制御の下に、データを従来技術のフラッシュメモリー駆動装置からそのフラッシュメモリーチップ１３にデータを伝送させる。
【００４０】
プリント回路盤７上には押下ボタンスイッチ２３を設けることができ、カバー３を介してアクセスして組み合わされたフラッシュメモリー駆動装置間でのデータの伝送を手動で励動することができる。例えば、第１のフラッシュメモリー駆動装置１ａ（親・子スイッチ２１により親にセットされている）のスイッチ２３の励動に反応して、第１のフラッシュメモリー駆動装置１ａのダウンロード／コピー論理チップ１５はデータを第１のフラッシュメモリー駆動装置１ａのフラッシュメモリーチップ１３から第２のフラッシュメモリー駆動装置１ｂまたは第１のフラッシュメモリー駆動装置１ａに接続された従来技術のフラッシュメモリー駆動装置（図示せず）のフラッシュメモリーチップ１３へと伝送する。
【００４１】
しかしスイッチ２３の使用は限定されるものではない。何故なら他の制御手段を使ってフラッシュメモリー駆動装置間のデータの伝送を行うこともできるからである。
【００４２】
例えば、フラッシュメモリー駆動装置１がこの発明の他のフラッシュメモリー駆動装置または従来技術のフラッシュメモリー駆動装置に接続されているときには、フラッシュメモリー駆動装置１は親・子スイッチ２１のセットに反応してデータをそのフラッシュメモリーチップに対して出入り伝送する。
【００４３】
また各フラッシュメモリー駆動装置１は選択的に発光ダイオード（ＬＥＤ）２５を有することができ、そこからこの発明の他のフラッシュメモリー駆動装置または従来技術のフラッシュメモリー駆動装置に、またはその逆に、データが伝送されているときに、照明される。ＬＥＤ２５はそのような応用に適した発光装置から選択できる。
【００４４】
図１、２、４において、フラッシュメモリー駆動装置１はまたコンピューターまたはパーム装置上の利用できるＵＳＢポートを最大にするのに使える。特にフラッシュメモリー駆動装置１の雄型ＵＳＢコネクター９はコンピューター（図示せず）のＵＳＢポートに挿入できる。
【００４５】
爾後、雌型ＵＳＢコネクター１１がＵＳＢケーブルの雄型ＵＳＢコネクター２７を受ける。これにより、カメラやプリンターやスキャナーまたは追加的なフラッシュメモリー駆動装置などの周辺機器がコンピューター上のＵＳＢポートをフラッシュメモリー駆動装置１として利用することができる。
【００４６】
図５ａ、５ｂにおいて、フラッシュメモリー駆動装置１の第２の実施例はデジタル音響チップ２９とヘッドホーンンジャックなどの出力コネクター３１とを有している。デジタル音響チップ２９はデジタル信号処理器（ＤＳＰ）、増幅器、デジタル・アナログ変換器（ＤＡＣ）などを有している。
【００４７】
ＤＳＰはフラッシュメモリーチップ１３からデジタル音響データを回収して、ｍｐ３やｗｍａデコンプレッシオン・アルゴリズムなどのデコンプレッシオン（ｄｅｃｏｍｐｒｅｓｓｉｏｎ）アルゴリズムを利用して該データを復号できる。つまり圧縮フォーマットでフラッシュメモリーチップ１３上に記憶されたデジタル音響データの圧縮を元に戻すのである。
【００４８】
ついでＤＡＣはデコンプレスされた音響データをアナログ音響データに変換する。最後に、増幅器が信号の強度を立ち上げて音響出力コネクター３１に送る。上カバー３上にボタン３３を設けてデジタル音響チップ２９を制御してもよい。ボタン３３はデジタル音響データをプレーしたり、停止したり、休止したり、スキップしたり、レヴューしたりする。
【００４９】
押下ボタン２３を示したが、その機能を１個以上のボタン３３に組み込んでもよい。その場合図５ａ、５ｂの実施例からボタン２３は省略できる。
【００５０】
図６に示す第３の実施例のフラッシュメモリー駆動装置１は上カバー３を介して見ることのできる表示スクリーン３５を有しており、これがプリント回路盤７上に設けられた適宜な回路に接続されて、デジタル音響データのタイトル、歌の残り時間などのような所望の情報の可視表示を提供する。
【００５１】
この実施例では押下ボタン２３および／または親・子スイッチ２１をボタン３３で置き換えることができる。フラッシュメモリー駆動装置１をプログラムして、ダウンロード／コピー論理チップ１５をして装置を親または子にセットする１個以上のボタン３３に反応するようにできる。「親」または「子」の可視表示を表示スクリーン３３上に与えることができる。
【００５２】
またダウンロード／コピー論理チップ１５に信号を送って、他のボタン３３が押下されたときに、フラッシュメモリーチップ１３に対してのデータの出入り伝送を開始することができる。「伝送進行中」などの可視表示をスクリーン３５上に与えて、ＬＥＤ２５を使わなくしてもよい。スクリーン３５は液晶デイスプレー（ＬＣＤ）やプラズマスクリーンなどである。
【００５３】
図７に示すのは集積雄型・雌型コネクターを具えたフラッシュメモリー駆動装置のフラッシュメモリーチップに対するデータの出入り伝送を行なうこの発明の方法である。該方法は第１のフラッシュメモリー駆動装置の雄型コネクターを第２のフラッシュメモリー駆動装置の雌型コネクターに挿入するステップ６１から始まる。ついでステップ６３において各親・子スイッチを使って、第１の駆動装置が親にセットされ、第２の駆動装置が子にセットされる。
【００５４】
ついでステップ６５において、押下ボタンスイッチが励動され、第１のフラッシュメモリー駆動装置のフラッシュメモリーチップから第２のフラッシュメモリー駆動装置のフラッシュメモリーチップへのデータの伝送が開始される。
【００５５】
最後に、ステップ６７において、第１の駆動装置のフラッシュメモリーチップから第２の駆動装置のフラッシュメモリーチップへデータが伝送される。
【００５６】
該方法はこの発明のフラッシュメモリー駆動装置間でのデータの伝送を示しているが、これに限定されるものではない。この発明のフラッシュメモリー駆動装置と従来技術のフラッシュメモリー駆動装置、コンピューター、パーム装置、ラップトップなどの間のデータ伝送も考えられる。
【００５７】
例えば、従来技術フラッシュメモリー駆動装置の雄型コネクターがこの発明のフラッシュメモリー駆動装置の雌型コネクターに挿入された場合には、この発明のフラッシュメモリー駆動装置の親・子スイッチが親にセットされて、この発明のフラッシュメモリー駆動装置のフラッシュメモリーチップから従来技術フラッシュメモリー駆動装置のフラッシュメモリーチップへのデータの伝送が行われる。
【００５８】
さらに例えば、この発明のフラッシュメモリー駆動装置の雄型コネクターがコンピューター、パーム装置などの雌型コネクターに挿入された場合には、この発明のフラッシュメモリー駆動装置のフラッシュメモリーチップに対するデータの出入り伝送はコンピューター、パーム装置などにより公知の方法で制御される。
【産業上の利用可能性】
【００５９】
この発明はフラッシュメモリー駆動装置の分野において広く利用されるものである。
【図面の簡単な説明】
【００６０】
【図１】この発明のフラッシュメモリー駆動装置の分解斜視図である。
【図２】図１のフラッシュメモリー駆動装置の組立て状態の斜視図である。
【図３】第１の実施例における２個の相互作用フラッシュメモリー駆動装置の斜視図である。
【図４】第１の実施例における相互作用フラッシュメモリー駆動装置と雄型コネクターを具えたＵＳＢケーブルの斜視図である。
【図５ａ】この発明の第２の実施例におけるフラッシュメモリー駆動装置の斜視図である。
【図５ｂ】図５ａのフラッシュメモリー駆動装置の組立て状態の斜視図である。
【図６】この発明の第３の実施例におけるフラッシュメモリー駆動装置の斜視図である。
【図７】２個のフラッシュメモリー駆動装置間での情報伝送方法の流れ図である。
【符号の説明】
【００６１】
１：  フラッシュメモリー駆動装置
７：  プリント回路盤
９：  雄型ＵＳＢコネクター
１１：  雌型ＵＳＢコネクター
１３：  フラッシュメモリーチップ
１７：  ハブ論理チップ
１９：  バッテリー
２０：  親・子スイッチ
【図１】
2006048682.tif 000003
【図２】
2006048682.tif 000004
【図３】
2006048682.tif 000005
【図４】
2006048682.tif 000006
【図５ａ】
2006048682.tif 000007
【図５ｂ】
2006048682.tif 000008
【図６】
2006048682.tif 000009
【図７】
2006048682.tif 000010